(57)【特許請求の範囲】
【請求項１】
画像表示機能を有した住宅情報盤において、
時刻を計時するクロック部と、
表示期間が指定された生活環境情報を情報配信装置から受信して、記憶部に記憶させる情報受信部と、
表示期間が到来した生活環境情報を判別し選択して、表示期間中に表示させる表示制御部とを備え、
該表示制御部は、表示時間帯の設定操作を受付け、生活環境情報を、指定された表示期間中の表示すべき表示時間帯に制限して表示させ、該生活環境情報が表示期間の終了、または、表示時間帯の終了のいずれかにより表示終了したときには該生活環境情報を所定時間保存した後自動的に消去する住宅情報盤。
【請求項２】
請求項１に記載の住宅情報盤を、各住戸に備えた集合住宅用インターホンシステムであって、
住宅情報盤は、ロビーインターホンと通信するためのインターホン回線を通じて、生活環境情報を受信する集合住宅用インターホンシステム。
【請求項３】
請求項２において、
インターホン回線には、住宅情報盤とロビーインターホンとの呼出、通話を制御する通信制御装置が設けられており、
住宅情報盤は、通信制御装置を介して、情報配信装置と通信する集合住宅用インターホンシステム。
【請求項４】
請求項３において、
通信制御装置は、広域ネットワークに接続されており、
情報配信装置は、その広域ネットワーク上に設けられている集合住宅用インターホンシステム。
【発明の詳細な説明】
【技術分野】
【０００１】
本発明は、画像表示機能を有した住宅情報盤の改良に関する。またその住宅情報盤を備えた集合住宅用インターホンシステムに関する。
【背景技術】
【０００２】
従来、マンションなどの集合住宅に設置されるインターホンシステムでは、管理人室機から住戸インターホンに画像データを送信して表示させることにより、電子的な回覧板として機能させる技術が提案されている。そのような従来技術の例として、例えば特許文献１などが挙げられる。
【先行技術文献】
【特許文献】
【０００３】
【特許文献１】特許3657847号公報
【発明の概要】
【発明が解決しようとする課題】
【０００４】
集合住宅では、例えばゴミ収集日の連絡など、管理人側からその表示開始、表示終了の日時を指定して表示させたい通知事項もあり、対応が望まれているが、上記のような電子的な回覧板などに関連して、そのような要望に対応した技術は現在提案されていない。
【０００５】
そこで本発明は、情報配信装置の側で指定した表示期間に生活環境情報を表示できるようにした住宅情報盤を提供することを目的とする。
【課題を解決するための手段】
【０００６】
本発明は、画像表示機能を有した住宅情報盤において、時刻を計時するクロック部と、表示期間が指定された生活環境情報を情報配信装置から受信して、記憶部に記憶させる情報受信部と、表示期間が到来した生活環境情報を判別し選択して、表示期間中に表示させる表示制御部とを備え、該表示制御部は、表示時間帯の設定操作を受付け、生活環境情報を、指定された表示期間中の表示すべき時間帯に制限して表示させ、該生活環境情報が表示期間の終了、または、表示時間帯の終了のいずれかにより表示終了したときには該生活環境情報を所定時間保存した後自動的に消去する。
【０００７】
表示制御部は、表示時間帯の設定操作を受付け、生活環境情報を、表示すべき時間帯に制限して表示させてもよい。
【０００８】
また集合住宅用インターホンシステムの住戸インターホンとして前記住宅情報盤を採用してもよい。その場合、住宅情報盤は、ロビーインターホンと通信するためのインターホン回線を通じて、生活環境情報を受信するとよい。
【０００９】
インターホン回線に、住宅情報盤とロビーインターホンとの呼出、通話を制御する通信制御装置を設け、住宅情報盤は、その通信制御装置を介して、情報配信装置と通信してもよい。
【００１０】
通信制御装置は、広域ネットワークに接続されており、情報配信装置は、その広域ネットワーク上に設けられていてもよい。
【００１１】
前記住宅情報盤は、戸建て住宅用インターホンシステムに採用してもよい。その場合、住宅情報盤は広域ネットワークに接続し、情報配信装置は、その広域ネットワーク上に設けるとよい。
【発明の効果】
【００１２】
本発明では、住宅情報盤での生活環境情報の表示を、情報配信装置による表示期間の指定に基づいて、住宅情報盤が時刻を参照しながら制御する構成としているので、生活環境情報を送信者側の所望期間に表示できる。
【図面の簡単な説明】
【００１３】
【図１】住宅情報盤の概略構成を説明する機能ブロック図である。
【図２】住宅情報盤の正面外観図である。
【図３】（ａ）、（ｂ）はそれぞれ、生活環境情報の表示例である。
【図４】表示時間帯の設定画面の例である。
【図４Ａ】生活環境情報の作成画面の例である。
【図５】集合住宅用インターホンシステムの概略構成を示したロック図である。
【図６】集合住宅用インターホンシステムの別構成を示したブロック図である。
【図７】戸建て住宅用インターホンシステムの概略構成示したブロック図である。
【図８】集合住宅用インターホンシステムの基本動作を説明するフロー図である。
【発明を実施するための形態】
【００１４】
以下、本発明の基本構成を図１、図２について説明する。住宅情報盤１は、筐体前面にタッチパネルからなる表示画面１１と、通話のためのスピーカ１２およびマイク１３と、通話呼出への応答操作を行う通話釦１４と、メッセージランプ１５などが設けられている。またドアホン２や、火災感知器などのセキュリティセンサ３や、空調・照明機器など種々の制御対象機器に接続されており、それらと情報伝送して、通話、異常報知、設備機器制御などの基本機能を実行する。その際には表示画面１１に適宜画像を表示して状態情報などを報知する。また信号線などを介して接続されたウェブサーバなどの情報配信装置４から、掲示板情報や地域ニュースなどの生活環境情報をダウンロードして、状態情報などと同様に表示することもできる。なお生活環境情報は、生活に関連した特に緊急性を要さないお知らせなどの一般情報であるが、具体的には、掲示板情報や、地域ニュースなどである。
【００１５】
図２では、住宅情報盤１は待機画面を表示している状態である。表示画面１１には、時刻と、複数の操作キーとが表示されている。操作キーの中で、「新着情報キー」は、最近受信した生活環境情報のヘッドラインを一覧表示させるためのキーである。「掲示板キー」、「ニュースキー」は、生活環境情報中の掲示板情報、あるいはニュース情報のヘッドラインを一覧表示させるためのキー、「再生キー」は録音した通話音声、あるいは録画映像を再生させるためのキーである。また「設定キー」は、住宅情報盤１の機能設定画面を呼び出すためのキーである。
【００１６】
また住宅情報盤１は、生活環境情報の表示制御に関連して、情報受信部１６と、表示制御部１７と、記憶制御部１８と、クロック部１０とを備えている。ここに情報受信部１６は、表示期間が指定された生活環境情報を情報配信装置４から受信して、記憶部１９に記憶させる。表示制御部１７はクロック部１０の時刻に基づいて表示期間が到来した生活環境情報を判別し選択して、表示期間中に表示させるが、住戸人による表示時間帯の設定操作が事前に行われているときには、生活環境情報を表示時間帯に制限して表示させてもよい。この場合、指定された表示期間であり、設定されている表示時間帯でもあるときに生活環境情報が表示される。
【００１７】
生活環境情報の表示動作について説明すると、住宅情報盤１は、情報受信部１６によって、情報配信装置４から随時、生活環境情報およびその表示期間を受信すると、両者を関連付けて記憶部１９に蓄積する。そして表示制御部１７によって、現在の時刻と蓄積済みの生活環境情報の表示期間とを定期的に対比して、いずれかの生活環境情報の表示期間が開始したことを検出すると、その生活環境情報を選択して表示画面１１に表示すると共に、メッセージランプ１５を点灯させる。表示開始から所定時間が経過すると、表示画面１１を一時的に消灯させ、何らかの操作がされると、表示画面１１を再び点灯させてもよい。また表示開始後には、現在の時刻と生活環境情報の表示期間とを定期的に対比して、表示期間が終了したことを検出すると、その生活環境情報の表示を終了させ、メッセージランプ１５を消灯させる。
また生活環境情報の表示期間は、その生活環境情報の配信時を表示開始時刻として、表示終了日時だけを指定するようにしてもよい。この場合、表示制御部１７は、生活環境情報が受信、記憶されると、その表示を直ちに開始させ、表示期間として指定された表示終了日時になると、その表示を終了させる。
【００１８】
また住宅情報盤１は、例えば表示終了から所定時間が経過するなど所定の条件が成りたつと、記憶制御部１８によって、生活環境情報を記憶部１９から消去する。なお、のクロック部１０は時刻を計時するが、住宅外に設置された時刻装置８から時刻補正信号を受信して時刻を補正する時刻補正部１０ａを備えてもよい。あるいは電波時計として構成して、標準電波の放送局から時刻信号を無線受信して時刻を補正してもよい。
【００１９】
生活環境情報の表示は次のような態様で行うとよい。例えば図３（ａ）では掲示板情報が表示され、図３（ｂ）では地域ニュースが表示されている。生活環境情報は、待機画面などから自動的に切替え表示される。いずれも画面上部には、記事のカテゴリと「戻るキー」が配置され、中央部には記事が配置され、下部には「記事一覧キー」が配置されている。ここに、「戻るキー」は、現在の表示から前画面に戻すためのキーであり、「記事一覧キー」は、表示している記事と同じカテゴリに属する過去記事のヘッドラインを一覧表示させるためのキーである。
【００２０】
表示時間帯の設定は、図４のような設定画面で行うとよい。すなわち待機画面中の「設定キー」の操作によって、このような設定画面を表示して、そこで時間帯の開始時刻、終了時刻として、所望の時刻を選択させるとよい。
【００２１】
一方、情報配信装置４は、住戸外に設置されたパソコンなどで構成されており、所定の記事作成画面を表示して、その操作によって生活環境情報を作成させる情報生成部４１と、生活環境情報とその表示期間を送出する情報配信部４２とを備えている。後述するように、生活環境情報の作成画面では、その情報の表示期間が自由に設定操作でき、所定の操作を受付けると、生活環境情報と表示期間とが住宅情報盤１に送出される。なお表示期間は、生活環境の１回限りの期間指定だけでなく、例えば毎週、毎月など表示期間をサイクリックに指定する場合も含んでいる。
【００２２】
図４Ａは、生活環境情報の作成画面の例であり、情報配信装置４ではこのような画面を表示して生活環境情報を作成する。作成画面には、タイトル、重要度、カテゴリ、送信者、表示期間の入力欄と、記事作成欄とが設けられている。タイトル、送信者の入力欄には所望の文字列が入力できる。重要度、表示期間の入力欄はプルダウン式になっており、複数の選択肢からいずれかを選択するようになっている。「保存ボタン」は、作成中の生活環境情報を情報送信装置４で保存するためのキー、「送信ボタン」は、生活環境情報、表示期間を住宅情報盤１に送信するためのキーである。記事作成欄は、自由に選択したフォントで文字列を配置し、更にイラストなども加えられるようになっているが、記事作成用のツールボックスなどは図からは省略している。
【００２３】
このように本発明では、住宅情報盤１での生活環境情報の表示を、情報配信装置４による表示期間の指定に基づいて、住宅情報盤１がクロック部１０の時刻を参照しながら制御する構成としているので、生活環境情報を送信者側の所望期間に表示できる。更に、時刻装置８の時刻補正信号に従ってクロック部１０を補正する構成とすれば、生活環境情報が表示期間で指定された正確な時刻に表示開始、表示終了できる。
【００２４】
更に、住宅情報盤１に記憶され、既に表示済みとなった生活環境情報は、所定時間の経過などを条件として、住宅情報盤１が自動的に消去する構成とすれば、記憶部１９の容量が少なくても、新たな生活環境情報が容量不足のために記憶できないという不具合が生じない。また所定時間が経過するまでは、表示済みとなった生活環境情報でも操作によって再表示させて確認することもできる。
【００２５】
更に、住宅情報盤１で表示時間帯の設定操作を受付ける構成とすれば、住戸人の都合に合わせて生活環境情報を表示させることができる。例えば夜間の表示を禁止しておけば、生活環境情報が就寝中に突然表示されて煩わしいなどの問題が起きない。
【００２６】
図５は、本発明を集合住宅用システムに適用した具体例を示している。
【００２７】
このインターホンシステム２１は、本発明を適用した住宅情報盤１を各住戸に備えており、住宅情報盤１は、ロビーインターホン５と通信するためのインターホン回線２０を通じて、生活環境情報と、表示期間とを受信するようになっている。インターホン回線２０には、住宅情報盤１とロビーインターホン５との呼出、通話を制御する通信制御装置６が設けられており、そこに情報配信装置４や、管理人室機７、ロビーインターホン５、時刻装置８などが接続されている。ロビーインターホン５には、来客を撮影するためのカメラ９が接続されている。
【００２８】
住宅情報盤１は、制御対象機器として、ドアホン２、セキュリティセンサ３が接続されており、通信制御装置６を介して情報配信装置４と通信する。なお住宅情報盤１、情報配信装置４はいずれも、図１、図２に示したような構成になっている。
【００２９】
インターホン回線２０はデジタル式であり、そこでは送信先、送信元のアドレスを指定した信号伝送が行われる。プロトコルとしてＴＣＰ／ＩＰを利用する場合は、住宅情報盤１のそれぞれには、固有のグローバルＩＰアドレスあるいはローカルＩＰアドレスが割り当てられる。また、通話制御装置６とロビーインターホン５あるいは管理人室機７との信号伝送も同様である。なおインターホン回線２０は、一般的なツイストペアケーブルを用いればよいが、専用ケーブルを用いてもよい。
【００３０】
次いで、インターホンシステム２１の基本動作を説明する。
【００３１】
インターホンシステム２１における呼出、通信制御の基本機能、動作は従来システムと同様である。すなわちロビーインターホン５で住戸番号を指定した呼出操作がなされると、通信制御装置６によって、指定された住戸の住宅情報盤１が呼び出される。呼び出された住宅情報盤１は、チャイム音によって呼出報知する。そして住宅情報盤１で通話釦１４が操作されると、通信制御装置６は、住宅情報盤１とロビーインターホン５との間に排他的な通話チャンネルを構成して、訪問者と住戸人との通話を許可する。その後、通話釦１４が再操作されたとき、あるいは所定時間が経過したときに、その通話チャンネルは開放される。なお、ロビーインターホン５が複数ある場合は、それぞれの通話チャンネルは排他的に制御される。
【００３２】
更にロビーインターホン５で呼出操作がなされてから通話チャンネルが解放されるまでの間、ロビーインターホン５のカメラ９が撮影した映像を住宅情報盤１で表示するため、排他的な映像チャンネルが構成される。このようにすれば、訪問者の映像を住宅情報盤１でモニタしながら対応できる。
【００３３】
また、インターホンシステム２１は、警報監視システムとしても機能しており、その動作も従来と同様である。すなわち、住宅情報盤１は、セキュリティセンサ３によって異常発生を検知すると、警報画面を表示すると共に、スピーカ１２から警報メッセージを出力する。また、住宅情報盤１は、異常発生を管理人室機７に通知する。管理人室機７は、その通知を受信すると、警報を出力する。その後、管理人の操作に応じて、異常発生を通知してきた住宅情報盤１や、その近隣の住宅情報盤１から、避難メッセージなどを出力させることもできる。また、防災センターなどに異常発生を移報することもできる。
【００３４】
住宅情報盤１による生活環境情報の表示動作は上記と同様であるが、以下では、具体的な例を図８について説明する。このフロー図の場合は、住宅情報盤１Ａでは住戸人によって表示時間帯が設定されておらず、住宅情報盤１Ｂでは住戸人によって表示時間帯（時刻Ｔ６からＴ８まで）が設定されていると想定している。
【００３５】
図中、時刻Ｔ１では、住宅情報盤１Ｂにおいて表示時間帯（時刻Ｔ５からＴ９まで）が設定操作されている。時刻Ｔ２では、情報配信装置４において生活環境情報が生成され、表示期間が選択されている。時刻Ｔ３では、時刻装置８からの時刻補正信号によって、住宅情報盤１Ａ、１Ｂのクロック部１０が補正されている。時刻Ｔ４では情報配信装置４から生活環境情報、および表示期間が送信され、住宅情報盤１Ａ、１Ｂにおいて、それら情報が記憶部１９に記憶されている。
【００３６】
時刻Ｔ５では、表示期間が開始して、住宅情報盤１Ａにおいては生活環境情報が表示されているが、住宅情報盤１Ｂおいては、住戸人が設定している表示時間帯ではないため、生活環境情報はまだ表示されず、時刻Ｔ６になってから表示されている。時刻Ｔ７では、時刻装置８からの時刻補正信号によって、住宅情報盤１Ａ、１Ｂのクロック部１０が補正されている。
【００３７】
時刻Ｔ８では、住宅情報盤１Ｂにおいて表示時間帯が終了したため、生活環境情報の表示が終了されている。時刻Ｔ９では、表示期間の終了により、住宅情報盤１Ａにおいて生活環境情報の表示が終了されている。その後、時刻Ｔ１０では、住宅情報盤１Ｂにおいて、生活環境情報の表示終了からの所定時間が経過したため、生活環境情報が記憶部１９から消去されている。また時刻Ｔ１０では、住宅情報盤１Ａにおいて、生活環境情報の表示終了からの所定時間が経過したため、生活環境情報が記憶部１９から消去されている。
【００３８】
次いで集合住宅用システムの変形を図８について説明する。インターホンシステム２１では、通信制御装置６は、ゲートウェイ装置２２を介してインターネットなどの広域ネットワーク２３に接続されており、情報配信装置４は、その広域ネットワーク２３上に設けられている。時刻装置８も同様である。ゲートウェイ装置２２は、住宅情報盤１と情報配信装置４との通信のために必要なアドレス変換などを行うが、システムを不正アクセスから保護するためのファイアウォール機能を備えるとよい。
【００３９】
このシステムの基本動作などは、図５の例と同様である。また住宅情報盤１における生活環境情報の表示動作も上記の例と同様であるが、生活環境情報、表示期間などは定期的に、例えば１時間毎に、住宅情報盤１の方から情報配信装置４に接続して、新規なものがあればダウンロードするようにしてもよい。
【００４０】
図７は本発明を戸建て住宅用システムに適用した例を示している。住宅情報盤１は、住戸インターホンとして構成され、ドアホン２とセキュリティセンサ３が接続されている。住宅情報盤１は、広域ネットワーク２３に接続されており、情報配信装置４や時刻装置８は、その広域ネットワーク２３上に設けられている。このシステムは、当然ながらロビーインターホン５や管理人室機７などは備えていないが、住宅情報盤１の基本動作などは、図１〜図４の例についての説明と同様である。
【符号の説明】
【００４１】
１    住宅情報盤
４    情報配信装置
５    ロビーインターホン
６    通信制御装置
１０    クロック部
１６    情報受信部
１７    表示制御部
１８    記憶制御部
１９    記憶部
２０    インターホン回線
２１    集合住宅用インターホンシステム
２３    広域ネットワーク
【図１】
0006052715.tif 000002
【図２】
0006052715.tif 000003
【図３】
0006052715.tif 000004
【図４】
0006052715.tif 000005
【図４Ａ】
0006052715.tif 000006
【図５】
0006052715.tif 000007
【図６】
0006052715.tif 000008
【図７】
0006052715.tif 000009
【図８】
0006052715.tif 000010